(57)【要約】【課題】この考案は、肌触りや吸水性などタオル生地の特性を有しながら、しかも緻密な図柄が表現できるタオルおよびタオル生地を提供することを目的とする。【解決手段】上述の課題を解決するため、この考案のタオル生地１は、両面がパイル面であり、少なくとも第１の面４はポリエステルスパン糸を含む第１のパイル糸２が表れ、さらに起毛され、細かい繊維が交絡した平らで緻密な昇華転写印刷用面が形成されていて、この第１の面４に昇華転写印刷を行うことで精密な図柄を表現する。【選択図】図１
0003200052.tif 000002
【実用新案登録請求の範囲】
【請求項１】
両面がパイル面であり、少なくとも１面はポリエステルスパン糸を含むパイル糸が表れていて起毛された昇華転写印刷用面となっているタオル生地。
【請求項２】
両面がパイル面であり、少なくとも１面はポリエステルスパン糸とポリエステルフィラメント糸の合糸であるパイル糸が表れていて起毛された昇華転写印刷用面となっているタオル生地。
【請求項３】
両面がパイル面であり、少なくとも１面はポリエステルスパン糸を含むパイル糸が表れていて起毛されていて昇華転写印刷が施されているタオル。
【請求項４】
両面がパイル面であり、少なくとも１面はポリエステルスパン糸とポリエステルフィラメント糸の合糸であるパイル糸が表れていて起毛されていて昇華転写印刷が施されているタオル。
【請求項５】
第１の面はポリエステルスパン糸とポリエステルフィラメント糸の合糸であるパイル糸が表れていて起毛されていて昇華転写印刷が施されていて、
第２の面は綿糸のパイル糸が表れていて昇華転写印刷が施されていないタオル。
【考案の詳細な説明】
【技術分野】
【０００１】
この考案は、吸水性や肌触りがよく、しかも印刷による緻密な柄を表現できるタオルおよびタオル生地に関する。
【背景技術】
【０００２】
転写印刷は解像度の高い絵柄を表わすことができ、布地においても写真を精密に印刷することができる。パイル生地においても特許文献１〜特許文献３のように転写印刷を施したものが提案されている。
【０００３】
特許文献１には、ポリエステルのつなぎ糸と、吸発性ポリエステルの表側パイル糸と、吸発性ポリエステルの裏側パイル糸とを用い、丸編によって得られる組織を有する両面パイルのタオルであって、表側パイル糸によって構成される表側パイルのパイル長が、裏側パイル糸によって構成される裏側パイルのパイル長よりも短くなるように構成されているタオルが記載されている。そして、表側パイルのパイル長が短くなっているので、プレスをする際、表側パイルが傾れないために、転写紙に形成された図柄の輪郭が歪んだりする等の不都合が生じることはないと記載されている（同文献００２４段落）。このタオルは丸編みにより作られる。
【０００４】
特許文献２には、縦編編成を有し、転写印刷面である第１面において、第１パイル糸がその列のパイル止め糸によるパイル止め点と隣の列のパイル止め糸によるパイル止め点を有し、転写印刷面でない第２面において第２パイル糸がその列のパイル止め糸によるパイル止め点を有する転写印刷タオルが記載されている。
【０００５】
特許文献３には、分散染料により着色される第１パイル糸と、分散染料により着色されにくい第２パイル糸とを有し、第１パイル糸によりパイルが形成されている染色面部と、第２パイル糸によりパイルが形成されている非染色面部とが設けられていて、染色面部にのみ印刷が施されている印刷タオルが記載されている。
【先行技術文献】
【特許文献】
【０００６】
【特許文献１】特開２００４−２６１３６５号公報
【特許文献２】登録実用新案公報第３１８２２００号
【特許文献３】登録実用新案公報第３１９６６５３号
【考案の概要】
【考案が解決しようとする課題】
【０００７】
特許文献１では、丸編みで作られたパイル生地の上に転写印刷が施される。特許文献３では、タオル織機で織られたパイル生地の上に転写印刷が施される。いずれも、ループパイル面に印刷されるが、このようなループパイルの一つ一つは目で見ても観察できるものであり、完全に一様な印刷面を形成できない。したがって、転写印刷によって形成される柄の精密さには限界がある。
【０００８】
一方、特許文献２のタオルも編み物である。そして、止め糸によってパイルが突出しないフラットな面に転写印刷が施される。これにより、ループパイル面に印刷するよりも精密な柄が表現される。しかし、この印刷面ではパイルが突出していないので、タオル生地特有の厚みや吸水性、肌触りなどが得られない。
【０００９】
一方、特許文献３の印刷タオルは印刷による精密な柄が表現される部分とパイル生地本来の外観が表現される部分とを同じ面に有し、これまでのパイル製品にはない独特外観を有する。しかし、パイルが形成されている面に印刷すると、解像度の高い精密な図柄の表現は難しい。また、全面を印刷したタオルを実現するためには、特許文献３の考案は適していない。
【００１０】
この考案は、肌触りや吸水性などタオル生地の特性を有しながら、しかも緻密な図柄が表現できるタオルおよびタオル生地を提供することを目的とする。
【課題を解決するための手段】
【００１１】
上述の課題を解決するため、この考案のタオル生地は、両面がパイル面であり、少なくとも１面はポリエステルスパン糸を含むパイル糸が表れていて起毛された昇華転写印刷用面となっている。さらに、昇華転写印刷用面に表れるパイル糸として、ポリエステルスパン糸とポリエステルフィラメント糸の合糸を使用してもよい。
【００１２】
また、この考案のタオルは、両面がパイル面であり、少なくとも１面はポリエステルスパン糸を含むパイル糸が表れていて起毛されていて昇華転写印刷が施されている。第１の面に昇華転写印刷が施す場合、第１の面に表れるパイル糸として、ポリエステルスパン糸とポリエステルフィラメント糸の合糸を使用してもよい。反対側の第２の面は綿糸のパイル糸が表れていて昇華転写印刷が施されないようにしてもよい。
【考案の効果】
【００１３】
この考案のタオルおよびタオル生地は、起毛されたポリエステルフィラメント糸で形成されたパイル面を有するので、きめ細かい印刷面が形成され、昇華転写による精密な図柄を表現することができ、しかも、タオル生地特有の吸糸性や手触りのよさを有する。
【図面の簡単な説明】
【００１４】
【図１】タオル生地の構造を示す断面図である。
【図２】タオルを示す斜視図である。
【考案を実施するための形態】
【００１５】
この考案を実施するための形態について図面に基づいて説明する。図１はタオル生地の構造を示す断面図である。
【００１６】
タオル生地１は、通常のタオル生地と同様に、経糸（下糸）と緯糸に加えて第１のパイル糸２および第２のパイル糸３により織られている。第１のパイル糸２はタオル生地１の第１の面４に表れ、第２のパイル糸３は第２の面５に表れる。
【００１７】
経糸と緯糸には特に制限はなく、通常のタオル生地に使用されるものを選択することもできる。例えば、経糸としては、４０双糸、３０双糸などが使用でき、特に本例では３０双糸を使用している。また、緯糸としては、３０単糸、２０単糸、１６単糸などが使用でき、特に本例では２０単糸を使用している。
【００１８】
一方、第１のパイル糸２には、ポリエステルスパン糸を含む糸が使用される。ポリエステルスパン糸をパイル糸に使用することにより、安定したパイル織ができる。たとえば、３０番手双糸や４０番手双糸などが適している。ポリエステルスパン糸のみからなる双糸を使用するこももできるが、ポリエステルスパン糸とポリエステルフィラメント糸の合糸を使用してもよい。ポリエステルフィラメント糸だけではパイル糸として使用するのに適していないが、ポリエステルスパン糸と合わせることによって、パイル糸として使用することができる。そして、ポリエステルフィラメント糸が含まれることによって、光沢のある美しい印刷面を形成することができる。
【００１９】
第２のパイル糸２として本例では綿糸が使用されている。例えば、２０単糸や４０双糸、３０双糸などを使用でき、特にここでは３０双糸を用いている。この第２のパイル糸３は第２の面５に表れる。
【００２０】
織機としては例えばジャッガード機など通常のパイル織物用の織機を使用することができる。本考案では、両面ともループパイルが形成されるように、パイル織する。本例では、第１のパイル糸２のみがポリエルテルスパン糸なので、第１の面４のみがポリエステルスパン糸のパイルを有し、印刷用の面となる。第２の面は５綿糸によるパイルが表れており、昇華転写は行われない。
【００２１】
そして、印刷用面となる第１の面に対して起毛処理を行う。起毛処理は、例えば、ブラッシングなどによってフリースのように行うことができる。こうして、起毛されることにより、第１の面では細かい繊維同士が交絡して、フェルトのような状態になる。ループパイルに基く厚みや吸水性、肌触りの良さは保持されるが、個々のパイル糸の形状は失われて、緻密で平坦な表面状態が得られる。また、繊維同士が交絡することによってパイル糸間の結合が強くなり、パイルの抜け落ちが生じにくくなる。
【００２２】
第２の面５は綿糸である第２パイル糸３によるループパイルで覆われている。この面は従来の綿のタオルと同様に、綿糸パイル特有の肌触りと吸水性を有する。
【００２３】
第１の面４には昇華転写による印刷が施される。印刷面はポリエステル糸で覆われているので、昇華インクが効果的に付着する。また、この面は起毛によりキメの細かい緻密な平面であり、紙に印刷するように精密な図柄を表現することができ、写真なども表現することができる。特に、ポリエステルスパン糸とポリエステルフィラメント糸の合糸を使用した場合には、ポリエステルフィラメント糸特有のつややかさがある。
【００２４】
このタオル生地を所定に大きさに切断して、外周部を縫製することにより、印刷タオルが得られる。図２はタオルを示す斜視図である。タオル１０の第１の面４には、これまでの印刷タオルでは見られないような精密な図柄が表れる。しかも、柔軟で肌触りがよい。第２の面５には印刷が施されておらず、生地自体の外観が表れている。この第２の面５は、綿のタオルそのものの風合いや肌触り、吸収性を有している。
【００２５】
以上、第１のパイル糸のみがポリエステルスパン糸を含む糸である場合で説明したが、第２のパイル糸もポリエステルスパン糸を含む糸を使用してもよい。これにより、第２の面もポリエステルスパン糸を含むパイル糸によるパイルで覆われる。そして、この第２の面５にも起毛処理を行う。こうして、第２の面５にも昇華転写による精密な印刷面を形成し、両面印刷のタオルを得ることもできる。
【符号の説明】
【００２６】
１．印刷タオル
２．第１パイル糸
３．第２パイル糸
４．第１の面
５．第２の面
【図１】
0003200052.tif 000003
【図２】
0003200052.tif 000004